(57)【要約】      （修正有）【課題】写真、絵、書などを展示する屏風状の紙葉ホルダであって、多様な展示態様が得られ、比較的狭い箇所であっても、十分に展示を可能とし得るものを提供する。【解決手段】それぞれの片面に写真４ａ、・・・、４ｆを貼付する複数枚の支持板１ａ、・・・、１ｆを横方向に連接部３ａ、・・・、３ｅで連接し、この連接部で開閉自在とした屏風状の紙葉ホルダにおいて、前記支持板１ａ、・・・、１ｆの写真貼付面とは逆の面に面ファスナ２ｂ、２ｃ、２ｄ、２ｅを設け、いずれかの連接部で閉じて隣接する支持板を接合させたときに、両支持板の面ファスナを接着させて、両支持板の写真非貼付面同士を接合固定する。【選択図】図２
0003146006.tif 000002
【実用新案登録請求の範囲】
【請求項１】
それぞれの片面に展示用の紙葉を装着する複数枚の支持板を横方向に連接し、かつ支持板の連接部で開閉自在な帯状体とし、屏風状に立設し得るようにした紙葉ホルダにおいて、
前記支持板の帯状体の表裏いずれか一方の面に前記紙葉を装着するとともに、前記支持板の他方の面の適所に、他の支持板の紙葉非装着面と接着する接離自在な接着部を設けたことを特徴とする紙葉ホルダ
【請求項２】
前記接着部は、各支持板に少なくとも１個備えるものであることを特徴とする請求項１記載の紙葉ホルダ。
【請求項３】
前記接着部は、面ファスナで構成されることを特徴とする請求項１又は請求項２記載の紙葉ホルダ
【請求項４】
前記接着部は、磁石板で構成されることを特徴とする請求項１又は請求項２記載の紙葉ホルダ
【考案の詳細な説明】
【技術分野】
【０００１】
この考案は、展示用の絵、写真、書、文章などを付した紙葉類を複数枚にわたり同時に展示し、かつ覧ることのできる屏風式の紙葉ホルダに関する。
【背景技術】
【０００２】
一般に、写真や絵などを複数枚同時に展示するために、図１０に示すように、複数枚の支持板１１を横方向に連接してなり、その支持板１１の隣接するものとの連接部で折り曲げ開閉自在な帯状体１２とし、帯状体１２を構成する各支持板１１の片面に、写真１３などを貼着し、あるいはコーナの差込み部による差込などで装着をして、複数枚の絵、写真などの紙葉を卓上その他に展示する屏風状の紙葉ホルダが使用され、開示されている（例えば特許文献１の図１１参照）。
【特許文献１】実用新案登録第３１３０３２９号公報
【考案の開示】
【考案が解決しようとする課題】
【０００３】
上記した屏風状の紙葉ホルダは、異なる複数の絵、写真などを比較的場所を取らずに展示し、しかも不使用時に小型にして収容できるので重宝である。しかしながら、この種の屏風状の紙葉ホルダにおいて、全紙葉をある程度全体に亘り展示するには、各支持板を互いに直交する角度で折り曲げた状態とする必要があり、それ以外に種々の態様で安定した展示をすることが出来ず、また、横方向にある程度の展示場所を要し、それよりも小さい場所、卓上などに展示し難いという問題があった。
【０００４】
この考案は、上記問題点に着目してなされたものであって、比較的狭い箇所であっても十分に展示が可能であり、又種々の態様の展示が可能な屏風状の紙葉ホルダを提供することを目的とする。
【課題を解決するための手段】
【０００５】
この考案の紙葉ホルダは、それぞれの片面に展示用の紙葉を装着する複数枚の支持板を横方向に連接し、かつ支持板の連接部で開閉自在な帯状体とし、屏風状に立設し得るようにしたものにおいて、前記支持板の帯状体の表裏いずれか一方の面に前記紙葉を装着するとともに、前記支持板の他方の面の適所に、他の支持板の紙葉非装着面と接着する接離自在な接着部を設けたことを特徴とする。
【０００６】
この考案の紙葉ホルダにおいて、支持板に設ける接着部は、各支持板に少なくとも１個備えることが望ましい。
【０００７】
また、この考案の紙葉ホルダにおいて、接着部として、面ファスナ、磁石板などを使用するとよい。
【０００８】
なお、この考案の紙葉ホルダにおいて、紙葉には、いわゆる紙製のもののほか、ビニール製及びその他のシート状のものも含むものである。
【考案の効果】
【０００９】
この考案によれば、支持板の紙葉非装着面の適所に、他の支持板の紙葉非装着面と接着する接離自在な接着部を設けているので、この接着部で、一方の支持板と隣接する支持板とを接着することにより、これら隣接する支持板の開閉角を０°とすることができるので、典型的な屏風状以外の立て方、吊り下げ展示も含め多様な展示態様を得ることができる。また、展示場所の状況にあった形状とすることができ、覧ることのできる写真の数を減らすことなく展示する占有領域を小さくすることもできる。
【考案を実施するための最良の形態】
【００１０】
以下、実施の形態により、この考案をさらに詳細に説明する、図１は、この考案の一実施形態紙葉ホルダの展張状態を示す表面図「図１の（ａ）」と裏面図「図１の（ｂ）」である。
【００１１】
この実施形態紙葉ホルダ１０ａは、６枚の支持板１ａ、１ｂ、・・・1ｆが横方向に帯状に連接されて構成されている。支持板１ａ、１ｂ、・・・、１ｆは、四辺形（横１５．５cm
・縦１５．cm）の厚紙であり、各支持板１ａ、・・・、１ｆの隣接同士は、折り曲げ開閉自在に連接部３ａ、・・・、３ｅで連接されている。
【００１２】
支持板１ａ、・・・，１ｆを帯状体にしたものは、長い帯状の１枚の厚紙から製作され、厚紙の各連接部３ａ、・・・、３ｅに相当する位置で、カシメ工作により、折り曲げ自在の連接部を形成し、連接部で個別の支持板１ａ、・・・、１ｆを区分けしたものを使用している。これは、支持板１ａ、・・・、１ｆ用として一枚の長い帯状の厚紙に代えて、それぞれ個別の四辺形の厚紙を使用し、これら厚紙を横一列に配置し、各厚紙の表裏から２枚の薄地シートで貼付けて一連の帯状体とし、連接部３ａ、・・・、３ｅのみは、シートのみの直接貼り合わせで折り曲げ自在としたものを使用しても良い。
【００１３】
各支持板１ａ、・・・、１ｆの表面に、写真４ａ、・・・、４ｆが貼着（装着）されている。写真４ａ、・・・、４ｆは、支持板１ａ、・・・、１ｆの表面に接着剤で直接貼着しているが、窓枠紙を備え、支持板と窓枠紙の間に写真を挟み、支持板に窓枠紙の周囲を貼着してもよい。または写真の４隅をコーナ片で支持してもよい。
【００１４】
また支持板１ｂの裏面の右側（支持板１ａ寄り）に接着部として面ファスナ２ｂが上下に2個設けられ、支持板１ｃの裏面の左側（支持板１ｄ寄り）に接着部として面ファスナ２ｃが上下に２個設けられている。面ファスナ２ｂと面ファスナ２ｃは、連接部３ｂで支持板１ｂ、１ｃを手前方向に折り曲げて、両面を接合させると、両者は対面する位置にあり、面ファスナ２ｂと面ファスナ２ｃは接着されるようになっている。
【００１５】
また支持板１ｄの裏面の右側（支持板１ｃ寄り）に接着部として面ファスナ２ｄが上、下に２個設けられ、支持板１ｅの裏面の左側（支持板１ｆ寄り）に接着部として面ファスナ２ｅが上下に２個設けられている。面ファスナ２ｄと面ファスナ２ｅは、連接部３ｄで支持板１ｄ、１ｅを手前方向に折り曲げて、両面を接合させると、両者は対面する位置にあり、面ファスナ２ｄと面ファスナ２ｅは接着されるようになっている。
【００１６】
以上のように構成される実施形態紙葉ホルダ１０ａにおいて、図２に示すように支持板１ａ、・・・、１ｆが互い９０°の角度をもって連接され、かつ卓上に立設されて写真を展示する。展示場において、図２では図の上方から下方に向けて写真４ａ、・・・、４ｆを覧ることになる。図５の（ａ）は、前方上方から見た外観斜視図、図５の（ｂ）は後方上方から見た外観斜視図である。この展示状態は従来の一般的な場合と同様である。
【００１７】
この実施形態において、図３とは異なる他の展示態様を説明する。図２の状態から、支持板１ｄと支持板１ｅを面ファスナ２ｄと面ファスナ２ｅを近づけるように連接部３ｄで折り曲げ、面ファスナ２ｄと面ファスナ２ｅを接着する。
【００１８】
同様に、図２の状態から、支持板１bと支持板１cを、面ファスナ２bと面ファスナ２cを近づけるように連接部３bで折り曲げ、面ファスナ２bと面ファスナ２cを接着する。
【００１９】
これにより、紙葉ホルダの平面図は図３に示すものとなり、その配置領域は、図２の横方向に長い場合に比し、横幅の小さいものとなり、小円卓等に展示するのに好適となる。
【００２０】
また、図２の状態から、支持板１ｂと支持板１ｃを連接部３ｃで両支持板１ｂ、１ｃが一直線上になるように開き、同様に支持板１ｄと支持板１ｅを連接部３ｄで両支持板１ｄ，１ｅが一直線上となるように開く。この状態で支持板１ｃと支持板１ｄの連接部３ｃで面ファスナ２ｃ、２ｄが接合する方向に支持板１ｃと支持板１ｄを近づける。これにより紙葉ホルダの平面図は図４に示すものとなり、図３に示すものと異なる展示態様となる。
【００２１】
図６は、この考案の他の実施形態紙葉ホルダの展張状態を示す表面図「図６の（a）」と、裏面図「図６の（ｂ）」である。
【００２２】
この実施形態紙葉ホルダ１０ｂは、6枚の支持板１a、１b、・・・、１ｆが横方向に帯状に連結されて構成され、各支持板１a、・・・、１ｆの隣接同士は折り曲げ開閉自在に連接部３a、・・・、３ｅで連接されている。そして、各支持板１a、・・・、１ｆの表面に、写真４a、・・・、４ｆが貼着（装着）されている。以上のように構成されている点については、図１に示した実施形態紙葉ホルダと同様である。
【００２３】
この実施形態紙葉ホルダ１０ｂと図１に示す紙葉ホルダ１０ａと相違する点は、支持板１bの裏面に面ファスナ２bを、支持板１cの裏面に面ファスナ２cを、支持板１bの裏面に面ファスナ２ｄを、支持板１eの裏面に面ファスナ２eを設ける他に、支持板１aの裏面の左側（支持板１b寄り）に接着部として面ファスナ２aが上下に２個設けられ、支持板１fの裏面の右側（支持板１e寄り）に、接着部として面ファスナ２fが上下に２個設けられていることである。
【００２４】
この実施形態紙葉ホルダ１０ｂは，図１の紙葉ホルダに比して、支持板１a、１ｆにそれぞれ面ファスナ２aと２ｆが設けられており、すべての支持板１a・・・、１ｆに個別に面ファスナ２a、・・・２ｆが設けられている。
【００２５】
そのため、この実施形態紙葉ホルダ１０ｂでは、図７に示すように、支持板１a、・・・、１ｆが互いに９０°の角度をもって立設されて写真を展示すること（図２に示す図１の紙葉ホルダと同様）及び図３、図４に示す態様の展示ができるほか、さらに他の例えば図８、図９示す態様の展示も行うことができる。
【００２６】
図８に示す展示は、図７に示す状態から、まず連接部３ｃで９０°の折り曲げを支持板１ｃと支持板１ｄが一直線上となるように延ばす。続いて、連接部３aで、支持板１aの裏面側が支持板１bの裏面側に向かう方向に折り曲げ、面ファスナ２aと面ファスナ２bを接着させる。次に連接部３bで写真４bと写真４cが９０°の角度をもって対面する位置まで支持板１a、１bを折り曲げる。
【００２７】
同様に、連接部３ｅで、支持板１fの裏面側が支持板１eの裏面側に向かう方向に折り曲げ、面ファスナ２eと面ファスナ２fを接着させる。次に連接部３ｄで写真４ｄと写真４ｅが９０°の角度をもって対面する位置まで支持板１ｄ、１ｅを折り曲げる。これにより、紙葉ホルダの平面図は、図８に示すものとなり、その配置領域は図７の横方向に長い場合に比し、横幅の小さいものとなる。
【００２８】
また、図９に示す場合は、図８に示す状態から、つまり連接部３ｃにおいて、支持板１eと支持板１ｄが一直線上の状態から、支持板１ｃの裏面側と支持板１ｄの裏面側が対面し、接合する方向に折り曲げ、面ファスナ２ｃと面ファスナ２ｄを接着させる。これにより、紙葉ホルダ１０ｂの平面図は、図９に示すものとなる。その配置領域は、図７の場合に比し、横方向の占有幅が小さくなり、そして図８に示すものとは異なる態様で展示できる。
【００２９】
上記実施形態において、面ファスナの形状は各支持板において右側、もしくは左側に上下に２個長方形のものを設けているが、面ファスナの形状は長方形に限るものではなく円形、長円形、多角形、その他の形状であっても良い。
【００３０】
また、必ずしも上下に２個とする必要はなく、３個以上、あるいは長手状に１個であってもよい。面ファスナの設置位置もそれぞれの中央部分であっても良いし、全体領域であってもよい。また、上記実施形態において支持板同士を裏面で接着するのに面ファスナを用いているが、この面ファスナに代えて磁石板を用い、磁石板の吸着力により、接着しても良い。
【００３１】
また、上記実施形態においては、横方向に、６枚の支持板を連接する場合を説明したが、この考案は、もちろん、これに限ることなく、３枚以上から、十数枚以上の多数枚を連接するものにも適用できる。
【００３２】
また、上記実施形態においては、図３、図４、図８、図９に示すように、いくつかの面ファスナを適宜接着した後、各支持板を立てたままで、展示する場合について説明したが、他の展示態様として、支持板同士を適宜選択して接着した後（或いは外した後）、壁に吊すことも可能である。例えば図９に示すものより、支持板１ａと支持板１ｂの接着を外し、支持板１ａの左側端を上にして壁に吊すと、支持板１ｄと支持板１ｅが写真４ｄ，４ｅの面で接するように重なり、支持板１ｅ、１ｆが支持板１ｄの裏側に隠れ、吊された紙葉ホルダを前から覧ると、写真４ａ、４ｂ、４ｃが、上方より下方に縦に一列に展示されることになる。
【００３３】
また、図９に示すものより、支持板１ａと支持板１ｂの接着、支持板１ｅと支持板１ｆの接着をそれぞれ外し、連接部３ｃを上端にし、写真４ｄ側を前面にして壁に吊すと、支持板１ｃ、１ｂ、１ａが裏側に隠れ、吊された紙葉ホルダを前から覧ると、写真４ｄ、４ｅ、４ｆが、上方より下方に縦に一列に展示されることになる。
【図面の簡単な説明】
【００３４】
【図１】この考案の一実施形態紙葉ホルダの展張状態を示す図であり、（a）はその表面図、（ｂ）はその裏面図である。
【図２】同実施形態紙葉ホルダを屏風状に立てた場合の平面図である。
【図３】同実施形態紙葉ホルダ固有の設置状態の一例を示す平面図である
【図４】同実施形態紙葉ホルダ固有の設置状態の他の例を示す平面図である
【図５】同実施形態紙葉ホルダの外観斜視図であって、（a）は前方上方より観た外観斜視図、（ｂ）は後方上方より見た外観斜視図である。
【図６】この考案の他の実施形態紙葉ホルダの展張状態を示す図であり、（a）はその表面図、（ｂ）はその裏面図である。
【図７】同実施形態紙葉ホルダを屏風状に立てた場合の平面図である。
【図８】同実施形態紙葉ホルダの固有の設置状態の一例を示す図である。
【図９】同実施形態紙葉ホルダの固有の設置状態の他の例を示す平面図である。
【図１０】従来の屏風状紙葉ホルダの一例を示す外観斜視図である。
【符号の説明】
【００３５】
１a、１b、・・・、１ｆ    支持板
２a、２b、・・・、２ｆ    面ファスナ
３a、３b、・・・、３e     連接部
４a、４b、・・・、４f     写真
１０ａ、１０ｂ            紙葉ホルダ
【図１】
0003146006.tif 000003
【図２】
0003146006.tif 000004
【図３】
0003146006.tif 000005
【図４】
0003146006.tif 000006
【図５】
0003146006.tif 000007
【図６】
0003146006.tif 000008
【図７】
0003146006.tif 000009
【図８】
0003146006.tif 000010
【図９】
0003146006.tif 000011
【図１０】
0003146006.tif 000012